(57)【要約】  【課題】  携帯電話機等の特定通信装置へ診断や検査の結果を迅速に通知することができ、且つ、それに付属する各種の医療情報を確実に通知することができると共に、個人情報が第三者に漏洩することがなくセキュリティを十分に確保することができる医療情報通知システム、および、その医療情報通知システムにおける医療情報通知方法、ならびに、その方法を実行するための医療情報通知プログラムを提供することを目的とする。  【解決手段】  本発明の医療情報通知システムは、ウェブサーバとコンピュータ装置と外部記憶装置と切替えスイッチ部とを有する医療受診患者への医療情報通知システムであって、コンピュータ装置は中央処理装置とＲＡＭと入力装置とを有し、中央処理装置は入力手段と切替えスイッチ判定手段と切替え手段とデータベース読出し手段とデータ変換手段とセキュリティ判定手段と暗号化手段とＲＡＭ記憶手段とを有する構成を有している。【選択図】  図１
2004288176.tif 000002
【特許請求の範囲】
【請求項１】
ウェブページ情報を回線へ送信するウェブサーバと、前記ウェブページ情報を作成するためのページ情報を作成するコンピュータ装置と、電子カルテを格納する電子カルテ格納部を有する外部記憶装置と、前記コンピュータ装置により制御されることにより前記コンピュータ装置と前記ウェブサーバもしくは前記外部記憶装置とを接続する切替えスイッチ部とを有する医療受診患者への医療情報通知システムであって、
前記コンピュータ装置は、全体を制御する中央処理装置と、ＲＡＭと、データを入力するための入力装置とを有し、
前記中央処理装置は、カルテＩＤ等の特定データを前記入力装置を介して入力する入力手段と、前記切替えスイッチ部のスイッチ状態を判定する切替えスイッチ判定手段と、前記切替えスイッチ判定手段における判定結果に基いて前記切替えスイッチ部のスイッチを切り替える切替え手段と、入力した前記特定データに基いて前記電子カルテ格納部からデータ種データおよび前記データ種データに対応する変換方法を読み出すデータベース読出し手段と、読み出した前記データ種データを前記変換方法に基いて変換するデータ変換手段と、変換した前記データ種データがセキュリティの必要があるデータか否かを判定するセキュリティ判定手段と、前記セキュリティ判定手段においてセキュリティの必要があると判定したときには前記変換したデータ種データを暗号化して暗号化データを作成する暗号化手段と、前記変換したデータ種データまたは前記暗号化データをＲＡＭに記憶するＲＡＭ記憶手段とを有することを特徴とする医療受診患者への医療情報通知システム。
【請求項２】
前記中央処理装置は、サービスＩＤに対応する画像やグラフを前記変換したデータ種データの付随データとして画像・グラフ登録データベースから読み出すデータベース読出し手段と、前記変換したデータ種データおよび前記付随データをサービスＩＤおよびサーバＩＤに対応付けてウェブサーバ内データベースに格納するデータベース記憶手段と、閲覧可能なことを特定通信装置に知らせることを前記ウェブサーバに指示するウェブサーバ送信指示手段とを有することを特徴とする請求項１に記載の医療受診患者への医療情報通知システム。
【請求項３】
前記特定データはカルテＩＤとサービス種であることを特徴とする請求項１または２に記載の医療受診患者への医療情報通知システム。
【請求項４】
前記特定通信装置は、前記カルテＩＤと前記サービス種あるいはパスワードにより決定されるメールアドレスに対応する携帯電話機やＰＨＳなどの携帯型端末装置であることを特徴とする請求項３に記載の医療受診患者への医療情報通知システム。
【請求項５】
前記ウェブサーバは、全体を制御する中央処理装置と、ＲＡＭと、データを入力するための入力装置とを有し、
前記ウェブサーバの中央処理装置は、前記特定通信装置からのアクセスの有無を判定するアクセス判定手段と、前記アクセス判定手段においてアクセスがあったと判定したときには前記特定通信装置からのパスワードに基いてサービスＩＤとサーバＩＤとを決定するサービスＩＤ等決定手段と、決定した前記サービスＩＤおよび前記サーバＩＤとに対応するデータ種データや付随データをウェブサーバ内データベースから読み出す読出し手段と、読み出した前記データ種データや前記付随データと前記サービスＩＤに対応するページ情報とに基いてウェブページ情報を作成するウェブページ情報作成手段と、作成した前記ウェブページ情報を前記ＲＡＭに格納するＲＡＭ記憶手段と、前記作成したウェブページ情報を前記特定通信装置へ送信する送信手段と、前記ウェブサーバのＲＡＭに格納した前記ウェブページ情報を消去する消去手段とを有することを特徴とする請求項２乃至４のいずれか１に記載の医療受診患者への医療情報通知システム。
【請求項６】
前記暗号化手段は、前記電子カルテを参照して前記データ種データの真データ表示位置を読み込む手段と、ダミーデータベースから前記データ種に対応する１乃至複数の偽データを読み込む手段と、前記真データ表示位置に前記データ種データを表示しその他の位置には前記偽データを順不同に並べて表示するための暗号化データを作成する手段と、を有することを特徴とする請求項１乃至５の内いずれか１項に記載の医療受診患者への医療情報通知システム。
【請求項７】
前記ウェブサーバと、複数の前記コンピュータ装置と、複数の前記外部記憶装置と、複数の前記切替えスイッチ部と、を有し、各々の前記コンピュータ装置は前記切替えスイッチ部を介して前記ウェブサーバと前記外部記憶装置とに接続されていることを特徴とする請求項１乃至６の内いずれか１項に記載の医療受診患者への医療情報通知システム。
【請求項８】
中央処理装置とＲＡＭと入力装置とを有しウェブページ情報を回線へ送信するウェブサーバと、中央処理装置とＲＡＭと入力装置とを有し前記ウェブページ情報を作成するためのページ情報を作成するコンピュータ装置と、電子カルテを格納する電子カルテ格納部を有する外部記憶装置と、前記コンピュータ装置により制御されることにより前記コンピュータ装置と前記ウェブサーバもしくは前記外部記憶装置とを接続する切替えスイッチ部とを有する医療受診患者への医療情報通知方法であって、
前記コンピュータ装置の中央処理装置は、カルテＩＤ等の特定データを入力する入力ステップと、前記切替えスイッチ部のスイッチ状態を判定する切替えスイッチ判定ステップと、前記切替えスイッチ判定ステップにおける判定結果に基いて前記切替えスイッチ部のスイッチを切り替える切替えステップと、入力した前記特定データに基いて前記電子カルテ格納部からデータ種データおよび前記データ種データに対応する変換方法を読み出すデータベース読出しステップと、読み出した前記データ種データを前記変換方法に基いて変換するデータ変換ステップと、変換した前記データ種データがセキュリティの必要があるデータか否かを判定するセキュリティ判定ステップと、前記セキュリティ判定ステップにおいてセキュリティの必要があると判定したときには前記変換したデータ種データを暗号化して暗号化データを作成する暗号化ステップと、前記変換したデータ種データまたは前記暗号化データをＲＡＭに記憶するＲＡＭ記憶ステップとを有することを特徴とする医療受診患者への医療情報通知方法。
【請求項９】
前記コンピュータ装置の中央処理装置は、サービスＩＤに対応する画像やグラフを前記変換したデータ種データの付随データとして画像・グラフ登録データベースから読み出すデータベース読出しステップと、前記変換したデータ種データおよび前記付随データをサービスＩＤおよびサーバＩＤに対応付けてウェブサーバ内データベースに格納するデータベース記憶ステップと、閲覧可能なことを特定通信装置に知らせることを前記ウェブサーバに指示するウェブサーバ送信指示ステップとを有することを特徴とする請求項８に記載の医療受診患者への医療情報通知方法。
【請求項１０】
前記特定データはカルテＩＤとサービス種であることを特徴とする請求項８または９に記載の医療受診患者への医療情報通知方法。
【請求項１１】
前記特定通信装置は、前記カルテＩＤと前記サービス種あるいはパスワードにより決定されるメールアドレスに対応する携帯電話機やＰＨＳなどの携帯型端末装置であることを特徴とする請求項１０に記載の医療受診患者への医療情報通知方法。
【請求項１２】
前記ウェブサーバの中央処理装置は、前記特定通信装置からのアクセスの有無を判定するアクセス判定ステップと、前記アクセス判定ステップにおいてアクセスがあったと判定したときには前記特定通信装置からのパスワードに基いてサービスＩＤとサーバＩＤとを決定するサービスＩＤ等決定ステップと、決定した前記サービスＩＤおよび前記サーバＩＤとに対応するデータ種データや付随データをウェブサーバ内データベースから読み出す読出しステップと、読み出した前記データ種データや前記付随データと前記サービスＩＤに対応するページ情報とに基いてウェブページ情報を作成するウェブページ情報作成ステップと、作成した前記ウェブページ情報を前記ウェブサーバのＲＡＭに格納するＲＡＭ記憶ステップと、前記作成したウェブページ情報を前記特定通信装置へ送信する送信ステップと、前記ウェブサーバのＲＡＭに格納した前記ウェブページ情報を消去する消去ステップとを有することを特徴とする請求項９乃至１１のいずれか１に記載の医療受診患者への医療情報通知方法。
【請求項１３】
前記暗号化ステップは、前記電子カルテを参照して前記データ種データの真データ表示位置を読み込むステップと、ダミーデータベースから前記データ種に対応する１乃至複数の偽データを読み込むステップと、前記真データ表示位置に前記データ種データを表示しその他の位置には前記偽データを順不同に並べて表示するための暗号化データを作成するステップと、を有することを特徴とする請求項８乃至１２の内いずれか１項に記載の医療受診患者への医療情報通知方法。
【請求項１４】
前記ウェブページ情報作成ステップにおいてカルテ情報を疾患別や状態別等に分割した複数の前記ウェブページ情報を前記サービス種に対応付けて作成すると共に、前記送信ステップにおいて前記サービス種に対応する前記複数のウェブページ情報を送信することにより、携帯型端末装置等の前記特定通信装置で多種多量のカルテ情報の閲覧を可能とすることを特徴とする請求項１２または１３に記載の医療受診患者への医療情報通知方法。
【請求項１５】
請求項８乃至１４のいずれか１に記載の医療受診患者への医療情報通知方法の各ステップを実行するための医療受診患者への医療情報通知プログラム。
【発明の詳細な説明】
【技術分野】
【０００１】
本発明は、ウェブページ情報を回線へ送信するウェブサーバと、ウェブページ情報を作成するためのページ情報を作成するコンピュータ装置と、電子カルテを格納する電子カルテ格納を有する外部記憶装置と、コンピュータ装置により制御されることによりコンピュータ装置とウェブサーバもしくは外部記憶装置とを接続する切替えスイッチ部とを有し、医療受診患者へ診断や検査の結果、その付属情報等の医療情報を通知することができる医療受診患者への医療情報通知システム、および、医療受診患者への医療情報通知方法、ならびに、その方法を実行するための医療受診患者への医療情報通知プログラムに関するものである。
【背景技術】
【０００２】
従来、医療を受診した患者への診断や検査の結果の通知は、一般に封書等を用いて書面により行われたり、患者が受診や検査の後に再び来院した際に口頭にて通知されたりしていた。しかしながら、書面や口頭による通知では、結果が出てから患者に通知されるまでに時間がかかり迅速性に欠け、また、口頭で通知する場合は、患者はわざわざ病院まで来なければならないので利便性に欠けるという問題点があった。また、近年、電子メールに記載して患者に診断結果や検査結果を報告することが行われているが、送信できる情報量に限りがあり、患者が所望する情報を通知することができないという問題点があった。
すなわち、電子カルテのデータをそのまま送信するのは、データ量的にも膨大となり、また携帯型端末装置の狭い表示画面やそれのもつＣＰＵのデータ処理能力を考慮すると、携帯型端末装置により電子カルテ全ての閲覧は不可能であった。なお、このような電子カルテをそのまま閲覧することは、デスクトップ型のパーソナルコンピュータであれば閲覧は可能かもしれないが、携帯型端末装置のようにいつでもどこでも閲覧することはできない。また、携帯型端末装置には、検査結果等が出るとすぐに通知ができるという利点があるがデスクトップ型のパーソナルコンピュータではそれができず、また、デスクトップ型のパーソナルコンピュータは携帯電話機等の携帯型端末装置に比べ保有率が低いという問題点があった。
【０００３】
また、電子カルテ情報には各種のデータが含まれ時にデータ量も膨大なため現今の携帯電話機（携帯型端末装置）などに提供されている医療サービスは、電子カルテデータの総合情報の元に作られたのではなく、検査結果のお知らせなど検査値の一部を送るとか、次回来院や予約情報など、電子カルテの一部の生データの羅列が多くメールでも可能である事が多く、カルテ全体に及ぶの情報の通知及び閲覧サービスに対応出来るものではない。
【０００４】
また、情報サービスと言っても医療情報ともなると其の原情報は確かなものでなければならない。カルテ上のデータは法律上も、社会上も信頼度の高いものである。医療情報が電子カルテの如く電子化されているのであれば、医療情報サービスの信頼性を確保するためには、開示に必要なデータの抽出、其のレイアウト作製などは手入力で行うべきでなく、あくまでもはカルテより自動的に行なうことが望まれる。また医療データは１つづつ表示、評価されても意義は少なく時には危険さえ伴うので、現今、散見される、今回の検査値のみの携帯端末への通知は事前の説明が必要であろう。医療検査データは過去の履歴やほかのデータの関連のもと評価されるものでなければならず、この意味でもデータの発生源は電子カルテが望まれる。
【０００５】
さてＷｅｂブラウザを用いた医療システムとしては、電子ファイル閲覧システムや方法として、特許文献１には、「医師等の情報発信者の端末装置からカルテなどの電子ファイルをネットワークを介して受信し、その電子ファイルをＷｅｂブラウザで表示可能なＨＴＭＬ形式に変換すると共に変換した変換電子ファイルを所定のＵＲＬアドレスに保管して、インターネット又はイントラネット上で変換電子ファイルを患者や薬局などの情報受信者に対して閲覧可能にした電子ファイル閲覧システム、電子ファイル閲覧方法」が開示されている。
また、特許文献４には、患者さんの検査値を取り込むヘルスケア装置よりＨＴＴＰコマンドを通してデータ値をＨＴＭＬファイルに変換してブラウザに提供し医療機関が患者の状態を把握するものが開示されている。また、特許文献２には、喘息患者さんの日誌など（本人記載した）外部から送られてきたデータを、一部は加工して医療関係者が観察するのに便利なようにしてＷｅｂブラウザに提供しているものがある。在宅、院外のデータをサーバに取り込み（機器より自動的に入力したり、患者自身が入力したりする）、Ｗｅｂサーバを利用する事により多くの医療関係者が観察し、対応や指示ができることを目標としている。対応、知識の範囲を広げるため医療関係者以外にも開示することも提案している。本質は医療機関にとっての患者さんのモニターチェックであり、医療機関にあるカルテ情報のデータの通知に主眼をおいたものではない。
【０００６】
その他にも、サーバとインターネット網を使用した医療情報サービスが種々提案されているが、医療機関と患者のコミュニケーションのために利用されたもので、医療機関からのカルテ開示の提案ではない。さらに電子カルテデータともなると、内容全域にわたる小型携帯端末への情報通知方法、カルテ開示方法を提案したものはない。電子カルテ自体が未だ黎明期のためでもあろうが、情報開示は時代の要求である。ちなみに特許文献３には、カルテ、開示に触れたものがあるが、患者さんが自身の受けた診療内容を開示し、医療機関の評価につなげる目的のもので本発明とは目的が異なる。
【０００７】
【特許文献１】特開２００３−１４２６２号公報
【特許文献２】特開２００３−２２３５０号公報
【特許文献３】特開２００２−２４５１８０号公報
【特許文献４】特開平１１−８５８９１号公報
【発明の開示】
【発明が解決しようとする課題】
【０００８】
しかしながら、上記従来の技術は以下のような課題を有していた。
（１）特許文献１では、カルテなどの電子ファイルをネットワークを介して受信し、その電子ファイルをＷｅｂブラウザで表示可能なＨＴＭＬ形式に変換してインターネット又はイントラネット上のサーバ内に常に格納しているので、セキュリティが十分ではなくカルテ等の個人情報が第三者に漏洩する可能性が高いという課題を有していた。
（２）また、特許文献１のシステムは、一般のファイルのＨＴＭＬ化を目的としたファイル変換システムであるので、多種多様の記載方法が求められる電子カルテは一般のファイル形式で作られてないし、現段階では一般のファイル形式で電子カルテの作成は困難である。すなわち電子カルテをＨＴＭＬ形式に変換するには、まず電子カルテより一般的なファイル形式に変換するステップが必要であり、処理が煩雑になるという課題を有していた。
（３）また、小さな表示画面とデスクトップ型のパーソナルコンピュータに比べ処理速度の遅い携帯電話機等の携帯型端末装置に、各種のデータが含まれデータ量が膨大である電子カルテの情報を送ることはできないという課題を有していた。
本発明は上記従来の課題を解決するもので、携帯電話機等の特定通信装置へ診断や検査の結果を迅速に通知することができ、且つ、それに付属する各種の医療情報を確実に通知することができると共に、個人情報が第三者に漏洩することがなくセキュリティを十分に確保することができる医療受診患者への医療情報通知システム、および、医療受診患者への医療情報通知方法、ならびに、その方法を実行するための医療受診患者への医療情報通知プログラムを提供することを目的とする。
【課題を解決するための手段】
【０００９】
上記従来の課題を解決するために、本発明の医療受診患者への医療情報通知システムは、ウェブページ情報を回線へ送信するウェブサーバと、ウェブページ情報を作成するためのページ情報を作成するコンピュータ装置と、電子カルテを格納する電子カルテ格納部を有する外部記憶装置と、コンピュータ装置により制御されることによりコンピュータ装置とウェブサーバもしくは外部記憶装置とを接続する切替えスイッチ部とを有する医療受診患者への医療情報通知システムであって、コンピュータ装置は、全体を制御する中央処理装置と、ＲＡＭと、データを入力するための入力装置とを有し、中央処理装置は、カルテＩＤ等の特定データを入力装置を介して入力する入力手段と、切替えスイッチ部のスイッチ状態を判定する切替えスイッチ判定手段と、切替えスイッチ判定手段における判定結果に基いて切替えスイッチ部のスイッチを切り替える切替え手段と、入力した特定データに基いて電子カルテ格納部からデータ種データおよびデータ種データに対応する変換方法を読み出すデータベース読出し手段と、読み出したデータ種データを変換方法に基いて変換するデータ変換手段と、変換した前記データ種データがセキュリティの必要があるデータか否かを判定するセキュリティ判定手段と、前記セキュリティ判定手段においてセキュリティの必要があると判定したときには変換したデータ種データを暗号化して暗号化データを作成する暗号化手段と、変換したデータ種データまたは暗号化データをＲＡＭに記憶するＲＡＭ記憶手段とを有する構成を有する。
この構成により、携帯電話機等の特定通信装置へ診断や検査の結果を迅速に通知することができ、且つ、それに付属する各種の医療情報（過去の病歴や検査履歴や検査値に対する考察や読み方、図、グラフ）を確実に通知することができると共に、個人情報が第三者に漏洩することがなくセキュリティを十分に確保することができる医療受診患者への医療情報通知システムを提供することができる。
【００１０】
上記従来の課題を解決するために、本発明の医療受診患者への医療情報通知方法は、中央処理装置とＲＡＭと入力装置とを有しウェブページ情報を回線へ送信するウェブサーバと、中央処理装置とＲＡＭと入力装置とを有しウェブページ情報を作成するためのページ情報を作成するコンピュータ装置と、電子カルテを格納する電子カルテ格納部を有する外部記憶装置と、コンピュータ装置とウェブサーバもしくは外部記憶装置とを接続する切替えスイッチ部とを有する医療受診患者への医療情報通知方法であって、コンピュータ装置の中央処理装置は、カルテＩＤ等の特定データをコンピュータ装置の入力装置を介して入力する入力ステップと、切替えスイッチ部のスイッチ状態を判定する切替えスイッチ判定ステップと、切替えスイッチ判定ステップにおける判定結果に基いて切替えスイッチ部のスイッチを切り替える切替えステップと、入力した特定データに基いて電子カルテ格納部からデータ種データおよびデータ種データに対応する変換方法を読み出すデータベース読出しステップと、読み出したデータ種データを変換方法に基いて変換するデータ変換ステップと、変換した前記データ種データがセキュリティの必要があるデータか否かを判定するセキュリティ判定ステップと、前記セキュリティ判定ステップにおいてセキュリティの必要があると判定したときには変換したデータ種データを暗号化して暗号化データを作成する暗号化ステップと、変換したデータ種データまたは暗号化データをＲＡＭに記憶するＲＡＭ記憶ステップとを有する構成を有する。
この構成により、携帯電話機等の特定通信装置へ診断や検査の結果を迅速に通知することができ、且つ、それに付属する各種の医療情報を確実に通知することができると共に、個人情報が第三者に漏洩することがなくセキュリティを十分に確保することができる医療受診患者への医療情報通知方法を提供することができる。
【００１１】
上記従来の課題を解決するために、本発明の医療受診患者への医療情報通知プログラムは、カルテＩＤ等の特定データをコンピュータ装置の入力装置を介して入力する入力ステップと、切替えスイッチ部のスイッチ状態を判定する切替えスイッチ判定ステップと、切替えスイッチ判定ステップにおける判定結果に基いて切替えスイッチ部のスイッチを切り替える切替えステップと、入力した特定データに基いて電子カルテ格納部からデータ種データおよびデータ種データに対応する変換方法を読み出すデータベース読出しステップと、読み出したデータ種データを変換方法に基いて変換するデータ変換ステップと、変換した前記データ種データがセキュリティの必要があるデータか否かを判定するセキュリティ判定ステップと、前記セキュリティ判定ステップにおいてセキュリティの必要があると判定したときには変換したデータ種データを暗号化して暗号化データを作成する暗号化ステップと、変換したデータ種データまたは暗号化データをＲＡＭに記憶するＲＡＭ記憶ステップの各ステップを実行する構成を有している。
この構成により、携帯電話機等の特定通信装置へ診断や検査の結果を迅速に通知することができ、且つ、それに付属する各種の医療情報を確実に通知することができると共に、個人情報が第三者に漏洩することがなくセキュリティを十分に確保することができる医療情報通知方法を実行するための医療受診患者への医療情報通知プログラムを提供することができる。
【発明の効果】
【００１２】
本発明の医療受診患者への医療情報通知システムは、ウェブページ情報を回線へ送信するウェブサーバと、ウェブページ情報を作成するためのページ情報を作成するコンピュータ装置と、電子カルテを格納する電子カルテ格納部を有する外部記憶装置と、コンピュータ装置により制御されることによりコンピュータ装置とウェブサーバもしくは外部記憶装置とを接続する切替えスイッチ部とを有する医療受診患者への医療情報通知システムであって、コンピュータ装置は、全体を制御する中央処理装置と、ＲＡＭと、データを入力するための入力装置とを有し、中央処理装置は、カルテＩＤ等の特定データを入力装置を介して入力する入力手段と、切替えスイッチ部のスイッチ状態を判定する切替えスイッチ判定手段と、切替えスイッチ判定手段における判定結果に基いて切替えスイッチ部のスイッチを切り替える切替え手段と、入力した特定データに基いて電子カルテ格納部からデータ種データおよびデータ種データに対応する変換方法を読み出すデータベース読出し手段と、変換したデータ種データがセキュリティの必要があるデータか否かを判定するセキュリティ判定手段と、セキュリティ判定手段においてセキュリティの必要があると判定したときには変換したデータ種データを暗号化して暗号化データを作成する暗号化手段と、変換したデータ種データまたは暗号化データをＲＡＭに記憶するＲＡＭ記憶手段とを有することにより、患者の電子カルテが格納されている外部記憶装置とコンピュータ装置とが接続されている場合には、回線に接続されているウェブサーバはコンピュータ装置から切り離されており、回線から外部記憶装置のデータにアクセスすることができないので、患者の電子カルテに外部からアクセスすることはできず、患者の秘密を保持することにより患者のセキュリティを確保することができるという有利な効果が得られる。また、患者の医療情報は変換したデータ種データまたは暗号化データの形でＲＡＭに格納されているので、いつでもウェブサーバ内のデータベースに格納することができ、患者等の特定利用者（秘密を保持する必要がないとして特定された人）の利用に供することができるという有利な効果が得られる。また、変換したデータ種データが秘密を保持する必要がある（セキュリティの必要がある）ものである場合には暗号化データを送信することができるので、特定患者のセキュリティを秘密保持により十分に確実なものにすることができるという有利な効果が得られる。
【００１３】
さらに、中央処理装置は、サービスＩＤに対応する画像やグラフを変換したデータ種データの付随データとして画像・グラフ登録データベースから読み出すデータベース読出し手段と、変換したデータ種データおよび付随データをサービスＩＤおよびサーバＩＤに対応付けてウェブサーバ内データベースに格納するデータベース記憶手段と、閲覧可能なことを特定通信装置に知らせることをウェブサーバに指示するウェブサーバ送信指示手段とを有することにより、コンピュータ装置において変換したデータ種データおよび付随データ（例えば画像やグラフのデータ）をウェブサーバ内データベースに格納することができると共に確実に特定通信装置（特定利用者が使用する携帯型端末装置等の通信装置）に閲覧できることを知らせることができるので、特定利用者による電子カルテの利用性を高めることができ、特定利用者に十分な医療情報を提供することができるという有利な効果が得られる。
【００１４】
さらに、特定データはカルテＩＤとサービス種であることにより、データ種データの取得の際に特定利用者を誤ることを防止することができるという有利な効果が得られる。
さらに、特定通信装置は、カルテＩＤとサービス種あるいはパスワードにより決定されるメールアドレスに対応する携帯電話機やＰＨＳなどの携帯型端末装置であることにより、特定通信装置がどこに存在していても、特定通信装置に対して医療情報を提供することができるという有利な効果が得られる。
さらに、ウェブサーバは、全体を制御する中央処理装置と、ＲＡＭと、データを入力するための入力装置とを有し、ウェブサーバの中央処理装置は、特定通信装置からのアクセスの有無を判定するアクセス判定手段と、アクセス判定手段においてアクセスがあったと判定したときには特定通信装置からのパスワードに基いてサービスＩＤとサーバＩＤとを決定するサービスＩＤ等決定手段と、決定したサービスＩＤおよびサーバＩＤとに対応するデータ種データや付随データをウェブサーバ内データベースから読み出す読出し手段と、読み出したデータ種データや付随データとサービスＩＤに対応するページ情報とに基いてウェブページ情報を作成するウェブページ情報作成手段と、作成したウェブページ情報をウェブサーバのＲＡＭに格納するＲＡＭ記憶手段と、作成したウェブページ情報を特定通信装置へ送信する送信手段と、ウェブサーバのＲＡＭに格納したウェブページ情報を消去する消去手段とを有することにより、携帯電話機やＰＨＳ電話機などの特定通信装置からアクセスがあり、その特定通信装置が特定患者（特定利用者）の電話機であると判定された場合は、その特定患者の電話機に対して電子カルテを構成するデータ種データや付随データをウェブページ情報として送信することができるので、特定患者の電子カルテ利用の便利性を向上させることができるという有利な効果が得られる。また、送信したウェブページ情報は消去するようにしたので、ウェブページ情報がウェブサーバから通信回線を介して外部に漏れることがなく、完全に秘密を保持することができるという有利な効果が得られる。
【００１５】
さらに、暗号化手段は、電子カルテを参照してデータ種データの真データ表示位置を読み込む手段と、ダミーデータベースからデータ種に対応する１乃至複数の偽データを読み込む手段と、真データ表示位置にデータ種データを表示しその他の位置には偽データを順不同に並べて表示するための暗号化データを作成する手段と、を有することにより、データ種データの暗号化を簡単に行うことができ、且つ暗号化の確実性も高く秘匿性に優れるという有利な効果が得られる。
さらに、ウェブサーバと、複数のコンピュータ装置と、複数の外部記憶装置と、複数の切替えスイッチ部と、を有し、各々のコンピュータ装置は切替えスイッチ部を介してウェブサーバと外部記憶装置とに接続されていることにより、複数の医療機関の各々に設置されたコンピュータ装置からその医療機関にかかる患者の医療情報をウェブサーバに送信することにより一つのウェブサーバで複数の医療機関の医療情報の通知等を管理でき、システムが簡略化できシステムの構築及び増設等が容易であるという有利な効果が得られる。
【００１６】
本発明の医療受診患者への医療情報通知方法は、中央処理装置とＲＡＭと入力装置とを有しウェブページ情報を回線へ送信するウェブサーバと、中央処理装置とＲＡＭと入力装置とを有しウェブページ情報を作成するためのページ情報を作成するコンピュータ装置と、電子カルテを格納する電子カルテ格納部を有する外部記憶装置と、コンピュータ装置とウェブサーバもしくは外部記憶装置とを接続する切替えスイッチ部とを有する医療受診患者への医療情報通知システムにおける医療情報通知方法であって、コンピュータ装置の中央処理装置は、カルテＩＤ等の特定データをコンピュータ装置の入力装置を介して入力する入力ステップと、切替えスイッチ部のスイッチ状態を判定する切替えスイッチ判定ステップと、切替えスイッチ判定ステップにおける判定結果に基いて切替えスイッチ部のスイッチを切り替える切替えステップと、入力した特定データに基いて電子カルテ格納部からデータ種データおよびデータ種データに対応する変換方法を読み出すデータベース読出しステップと、読み出したデータ種データを変換方法に基いて変換するデータ変換ステップと、変換した前記データ種データがセキュリティの必要があるデータか否かを判定するセキュリティ判定ステップと、前記セキュリティ判定ステップにおいてセキュリティの必要があると判定したときには変換したデータ種データを暗号化して暗号化データを作成する暗号化ステップと、変換したデータ種データまたは暗号化データをＲＡＭに記憶するＲＡＭ記憶ステップとを有することにより、患者の電子カルテが格納されている外部記憶装置とコンピュータ装置とが接続されている場合には、回線に接続されているウェブサーバはコンピュータ装置から切り離されており、回線から外部記憶装置のデータにアクセスすることができないので、患者の電子カルテに外部からアクセスすることはできず、患者の秘密を保持することにより患者のセキュリティを確保することができるという有利な効果が得られる。また、患者の医療情報は変換したデータ種データまたは暗号化データの形でＲＡＭに格納されているので、いつでもウェブサーバ内のデータベースに格納することができ、患者等の特定利用者（秘密を保持する必要がないとして特定された人）の利用に供することができるという有利な効果が得られる。また、変換したデータ種データが秘密を保持する必要がある（セキュリティの必要がある）ものである場合には暗号化データを送信することができるので、特定患者のセキュリティを秘密保持により十分に確実なものにすることができるという有利な効果が得られる。
【００１７】
さらに、コンピュータ装置の中央処理装置は、サービスＩＤに対応する画像やグラフを変換したデータ種データの付随データとして画像・グラフ登録データベースから読み出すデータベース読出しステップと、変換したデータ種データおよび付随データをサービスＩＤおよびサーバＩＤに対応付けてウェブサーバ内データベースに格納するデータベース記憶ステップと、閲覧可能なことを特定通信装置に知らせることをウェブサーバに指示するウェブサーバ送信指示ステップとを有することにより、コンピュータ装置において変換したデータ種データおよび付随データ（例えば画像やグラフのデータ）をウェブサーバ内データベースに格納することができると共に確実に特定利用者に閲覧できることを知らせることができるので、特定利用者による電子カルテの利用性を高めることができ、特定利用者に十分な医療情報を提供することができるという有利な効果が得られる。
【００１８】
さらに、特定データはカルテＩＤとサービス種であることにより、データ種データの取得の際に特定利用者を誤ることを防止することができるという有利な効果が得られる。
さらに、特定通信装置は、カルテＩＤとサービス種あるいはパスワードにより決定されるメールアドレスに対応する携帯電話機やＰＨＳなどの携帯型端末装置であることにより、特定通信装置がどこに存在していても、特定通信装置に対して医療情報を提供することができるという有利な効果が得られる。
さらに、ウェブサーバの中央処理装置は、特定通信装置からのアクセスの有無を判定するアクセス判定ステップと、アクセス判定ステップにおいてアクセスがあったと判定したときには特定通信装置からのパスワードに基いてサービスＩＤとサーバＩＤとを決定するサービスＩＤ等決定ステップと、決定したサービスＩＤおよびサーバＩＤとに対応するデータ種データや付随データをウェブサーバ内データベースから読み出す読出しステップと、読み出したデータ種データや付図データとサービスＩＤに対応するページ情報とに基いてウェブページ情報を作成するウェブページ情報作成ステップと、作成したウェブページ情報をウェブサーバのＲＡＭに格納するＲＡＭ記憶ステップと、作成したウェブページ情報を特定通信装置へ送信する送信ステップと、ウェブサーバのＲＡＭに格納したウェブページ情報を消去する消去ステップとを有することにより、携帯電話機やＰＨＳ電話機などの特定通信装置からアクセスがあり、その特定通信装置が特定患者（特定利用者）の電話機であると判定された場合は、その特定患者の電話機に対して電子カルテを構成するデータ種データや付随データをウェブページ情報として送信することができるので、特定患者の電子カルテ利用の便利性を向上させることができるという有利な効果が得られる。また、送信したウェブページ情報は消去するようにしたので、ウェブページ情報がウェブサーバから通信回線を介して外部に漏れることがなく、完全に秘密を保持することができるという有利な効果が得られる。
【００１９】
さらに、暗号化ステップは、電子カルテを参照してデータ種データの真データ表示位置を読み込むステップと、ダミーデータベースからデータ種に対応する１乃至複数の偽データを読み込むステップと、真データ表示位置にデータ種データを表示しその他の位置には偽データを順不同に並べて表示するための暗号化データを作成するステップと、を有することにより、データ種データの暗号化を簡単に行うことができ、且つ暗号化の確実性も高く秘匿性に優れるという有利な効果が得られる。
さらに、ウェブページ情報作成ステップにおいて疾患別や状態別等に分割した複数のウェブページ情報をサービス種に対応付けて作成すると共に、送信ステップにおいてサービス種に対応する複数のウェブページ情報を送信することにより、電子カルテの多種多量のカルテ情報を分割して個別にウェブページ情報を作成し送信することができるので、携帯電話機等の小さい画面であっても分割したカルテ情報を疾患別や状態別等の単位毎に表示させることにより多種多量のデータを閲覧すること可能となるという作用・効果を有する。
【００２０】
本発明の医療受診患者への医療情報通知プログラムは、上記医療情報通知方法の各ステップを実行するための医療情報通知プログラムであることにより、コンピュータを用いさえすれば、上記医療情報通知方法を任意の場所で任意の時間に実行することができるという有利な効果が得られる。
【発明を実施するための最良の形態】
【００２１】
本発明は、携帯電話機等の特定通信装置へ診断や検査の結果を迅速に通知することができ、且つ、それに付属する各種の医療情報を確実に通知することができると共に、個人情報が第三者に漏洩することがなくセキュリティを十分に確保することができる医療受診患者への医療情報通知システム、および、医療受診患者への医療情報通知方法、ならびに、その方法を実行するための医療受診患者への医療情報通知プログラムを提供するという目的を、ウェブページ情報を回線へ送信するウェブサーバと、ウェブページ情報を作成するためのページ情報を作成するコンピュータ装置と、電子カルテを格納する電子カルテ格納部を有する外部記憶装置と、コンピュータ装置により制御されることによりコンピュータ装置とウェブサーバもしくは外部記憶装置とを接続する切替えスイッチ部とを有する医療受診患者への医療情報通知システムであって、コンピュータ装置は、全体を制御する中央処理装置と、ＲＡＭと、データを入力するための入力装置とを有し、中央処理装置は、カルテＩＤ等の特定データを入力装置を介して入力する入力手段と、切替えスイッチ部のスイッチ状態を判定する切替えスイッチ判定手段と、切替えスイッチ判定手段における判定結果に基いて切替えスイッチ部のスイッチを切り替える切替え手段と、入力した特定データに基いて電子カルテ格納部からデータ種データおよびデータ種データに対応する変換方法を読み出すデータベース読出し手段と、読み出したデータ種データを変換方法に基いて変換するデータ変換手段と、変換したデータ種データがセキュリティの必要があるデータか否かを判定するセキュリティ判定手段と、セキュリティ判定手段においてセキュリティの必要があると判定したときには変換したデータ種データを暗号化して暗号化データを作成する暗号化手段と、変換したデータ種データまたは暗号化データをＲＡＭに記憶するＲＡＭ記憶手段とを有することで実現した。
【００２２】
上記課題を解決するためになされた第１の発明は、ウェブページ情報を回線へ送信するウェブサーバと、ウェブページ情報を作成するためのページ情報を作成するコンピュータ装置と、電子カルテを格納する電子カルテ格納部を有する外部記憶装置と、コンピュータ装置により制御されることによりコンピュータ装置とウェブサーバもしくは外部記憶装置とを接続する切替えスイッチ部とを有する医療受診患者への医療情報通知システムであって、コンピュータ装置は、全体を制御する中央処理装置と、ＲＡＭと、データを入力するための入力装置とを有し、中央処理装置は、カルテＩＤ等の特定データを入力装置を介して入力する入力手段と、切替えスイッチ部のスイッチ状態を判定する切替えスイッチ判定手段と、切替えスイッチ判定手段における判定結果に基いて切替えスイッチ部のスイッチを切り替える切替え手段と、入力した特定データに基いて電子カルテ格納部からデータ種データおよびデータ種データに対応する変換方法を読み出すデータベース読出し手段と、読み出したデータ種データを変換方法に基いて変換するデータ変換手段と、変換したデータ種データがセキュリティの必要があるデータか否かを判定するセキュリティ判定手段と、セキュリティ判定手段においてセキュリティの必要があると判定したときには変換したデータ種データを暗号化して暗号化データを作成する暗号化手段と、変換したデータ種データまたは暗号化データをＲＡＭに記憶するＲＡＭ記憶手段とを有することとしたものである。
この構成により、患者の電子カルテが格納されている外部記憶装置とコンピュータ装置とが接続されている場合には、回線に接続されているウェブサーバはコンピュータ装置から切り離されており、回線から外部記憶装置のデータにアクセスすることができないので、患者の電子カルテに外部からアクセスすることはできず、患者の秘密を保持することにより患者のセキュリティを確保することができるという作用・効果を有する。また、患者の医療情報は変換したデータ種データまたは暗号化データの形でＲＡＭに格納されているので、いつでもウェブサーバ内のデータベースに格納することができ、患者等の特定利用者（秘密を保持する必要がないとして特定された人）の利用に供することができるという作用・効果を有する。また、変換したデータ種データが秘密を保持する必要がある（セキュリティの必要がある）ものである場合には暗号化データを送信することができるので、特定患者のセキュリティを秘密保持により十分に確実なものにすることができるという作用・効果を有する。
【００２３】
ここで、カルテＩＤとは、医療機関で利用する来院順に割り振るカルテ番号のことである。図７に示すように、各カルテＩＤに対してサービス種、サービスＩＤ、サーバＩＤ、メールアドレス、及びパスワードが登録される。
サービス種としては、例えば医療機関が産婦人科の病院であれば図２２に示すような母子手帳電子版開示サービス（サービス種は「１」）、癌検査通知開示サービス（サービス種は「２」）、産後クリニカルパス開示サービス（サービス種は「３」）等がある。
サービスＩＤとは、癌検査開示情報サービスや母子手帳電子版開示サービス等のサービス種毎に付された識別番号であり、サービス種と医療機関番号により、例えば所定の関数により算出されて決定される。例えば、図２２に示すように、各医療機関が２０種のサービス種を持つ場合、Ａ病院の母子手帳電子版開示サービス（サービス種は「１」）のサーバＩＤは「０１」であり、Ｂ病院の母子手帳電子版開示サービス（サービス種は「１」）のサーバＩＤは「２１」である。
また、サーバＩＤはカルテＩＤ毎に決定されている。すなわち、図７に示すように同一のカルテＩＤに対しては、同一のサーバＩＤが登録されている。これは、セキュリティの低いウェブサーバ内でのカルテＩＤの使用は個体名が認知される可能性があるため、本発明ではカルテＩＤに対して別途任意に割り当てたサーバＩＤ決定し、ウェブサーバ上ではこのサーバＩＤを個体識別に利用する。また、サーバＩＤは同じサービスＩＤであれば必ず異なる番号となるように設定される。すなわち、サーバＩＤは各サービスＩＤに対して唯一無二であり、サービスを受ける患者に任意に割り当てられる。
また、特定データとは、例えばウェブページ情報としてある検査の結果等の医療情報を携帯型端末装置に表示させる場合は、その検査を受診した医療受診患者を特定するためのデータであり、その患者それぞれに対応する患者固有のカルテ番号であるカルテＩＤや、上述のある検査が例えば癌検査である場合の癌検査開示情報サービス等のサービス種に付された番号等である。
データ種データとは、ある検査の検査項目等に対応した検査結果等の値であり、例えば検査項目すなわちデータ種が最高血圧である場合は、その最高血圧値（例えば「１３５」）がデータ種データである。
データ種データに対応する変換方法とは、例えば、データ種データが最高血圧値である場合は、その最高血圧値「１３５」を「１３５ｍｍＨｇ」に変換するといった、ユーザが理解できるように変換するための変換方法である。或いは、データ種データが最高血圧値で且つ１４０−９０、例えば「１３５」である場合は、「正常です」といった言葉に変換する変換方法である。或いは、データ種データが医療機関側で管理し易い特殊単位である場合は、それを一般単位に変換するための変換方法も設定可能である。
また、特定通信装置としては、携帯型端末装置や一般のデスクトップ型パーソナルコンピュータ等を用いることもできる。携帯型端末装置としては、電子メールを受信でき、ウェブ情報を受け取り閲覧でき、演算処理も可能なものであり、携帯電話機やＰＨＳ電話機等が用いられる。
【００２４】
上記課題を解決するためになされた第２の発明は、第１の発明に記載の医療受診患者への医療情報通知システムであって、中央処理装置は、サービスＩＤに対応する画像やグラフを変換したデータ種データの付随データとして画像・グラフ登録データベースから読み出すデータベース読出し手段と、変換したデータ種データおよび付随データをサービスＩＤおよびサーバＩＤに対応付けてウェブサーバ内データベースに格納するデータベース記憶手段と、閲覧可能なことを特定通信装置に知らせることをウェブサーバに指示するウェブサーバ送信指示手段とを有することとしたものである。
この構成により、コンピュータ装置において変換したデータ種データおよび付随データ（例えば画像やグラフのデータ）をウェブサーバ内データベースに格納することができると共に確実に特定通信装置（特定利用者が使用する携帯型端末装置等の通信装置）に閲覧できることを知らせることができるので、特定利用者による電子カルテの利用性を高めることができ、特定利用者に十分な医療情報を提供することができるという作用・効果を有する。
【００２５】
上記課題を解決するためになされた第３の発明は、第１または第２の発明に記載の医療受診患者への医療情報通知システムであって、特定データはカルテＩＤとサービス種であることとしたものである。
この構成により、データ種データの取得の際に特定利用者を誤ることを防止することができるという作用・効果を有する。
【００２６】
上記課題を解決するためになされた第４の発明は、第３の発明に記載の医療受診患者への医療情報通知システムであって、特定通信装置は、カルテＩＤとサービス種あるいはパスワードにより決定されるメールアドレスに対応する携帯電話機やＰＨＳなどの携帯型端末装置であることとしたものである。
この構成により、特定通信装置がどこに存在していても、特定通信装置に対して医療情報を提供することができるという作用・効果を有する。
【００２７】
上記課題を解決するためになされた第５の発明は、第２乃至第４の発明の内いずれか１の発明に記載の医療受診患者への医療情報通知システムであって、ウェブサーバは、全体を制御する中央処理装置と、ＲＡＭと、データを入力するための入力装置とを有し、ウェブサーバの中央処理装置は、特定通信装置からのアクセスの有無を判定するアクセス判定手段と、アクセス判定手段においてアクセスがあったと判定したときには特定通信装置からのパスワードに基いてサービスＩＤとサーバＩＤとを決定するサービスＩＤ等決定手段と、決定したサービスＩＤおよびサーバＩＤとに対応するデータ種データや付随データをウェブサーバ内データベースから読み出す読出し手段と、読み出したデータ種データや付随データとサービスＩＤに対応するページ情報とに基いてウェブページ情報を作成するウェブページ情報作成手段と、作成したウェブページ情報をウェブサーバのＲＡＭに格納するＲＡＭ記憶手段と、作成したウェブページ情報を特定通信装置へ送信する送信手段と、ウェブサーバのＲＡＭに格納したウェブページ情報を消去する消去手段とを有することとしたものである。
この構成により、携帯電話機やＰＨＳ電話機などの特定通信装置からアクセスがあり、その特定通信装置が特定患者（特定利用者）の電話機であると判定された場合は、その特定患者の電話機に対して電子カルテを構成するデータ種データや付随データをウェブページ情報として送信することができるので、特定患者の電子カルテ利用の便利性を向上させることができるという作用・効果を有する。また、送信したウェブページ情報は消去するようにしたので、ウェブページ情報がウェブサーバから通信回線を介して外部に漏れることがなく、完全に秘密を保持することができるという作用・効果を有する。
【００２８】
上記課題を解決するためになされた第６の発明は、第１乃至第５の発明の内いずれか１の発明に記載の医療受診患者への医療情報通知システムであって、暗号化手段は、電子カルテを参照してデータ種データの真データ表示位置を読み込む手段と、ダミーデータベースからデータ種に対応する１乃至複数の偽データを読み込む手段と、真データ表示位置にデータ種データを表示しその他の位置には偽データを順不同に並べて表示するための暗号化データを作成する手段と、を有することとしたものである。
この構成により、データ種データの暗号化を簡単に行うことができ、且つ暗号化の確実性も高く秘匿性に優れるという作用・効果を有する。
【００２９】
上記課題を解決するためになされた第７の発明は、第１乃至第６の発明の内いずれか１の発明に記載の医療受診患者への医療情報通知システムであって、ウェブサーバと、複数のコンピュータ装置と、複数の外部記憶装置と、複数の切替えスイッチ部と、を有し、各々のコンピュータ装置は切替えスイッチ部を介してウェブサーバと外部記憶装置とに接続されていることとしたものである。
この構成により、複数の医療機関の各々に設置されたコンピュータ装置からその医療機関にかかる患者の医療情報をウェブサーバに送信することにより一つのウェブサーバで複数の医療機関の医療情報の通知等を管理でき、システムが簡略化できシステムの構築及び増設等が容易であるという作用・効果を有する。
【００３０】
上記課題を解決するためになされた第８の発明は、中央処理装置とＲＡＭと入力装置とを有しウェブページ情報を回線へ送信するウェブサーバと、中央処理装置とＲＡＭと入力装置とを有しウェブページ情報を作成するためのページ情報を作成するコンピュータ装置と、電子カルテを格納する電子カルテ格納部を有する外部記憶装置と、コンピュータ装置とウェブサーバもしくは外部記憶装置とを接続する切替えスイッチ部とを有する医療受診患者への医療情報通知方法であって、コンピュータ装置の中央処理装置は、カルテＩＤ等の特定データをコンピュータ装置の入力装置を介して入力する入力ステップと、切替えスイッチ部のスイッチ状態を判定する切替えスイッチ判定ステップと、切替えスイッチ判定ステップにおける判定結果に基いて切替えスイッチ部のスイッチを切り替える切替えステップと、入力した特定データに基いて電子カルテ格納部からデータ種データおよびデータ種データに対応する変換方法を読み出すデータベース読出しステップと、読み出したデータ種データを変換方法に基いて変換するデータ変換ステップと、変換したデータ種データがセキュリティの必要があるデータか否かを判定するセキュリティ判定ステップと、セキュリティ判定ステップにおいてセキュリティの必要があると判定したときには変換したデータ種データを暗号化して暗号化データを作成する暗号化ステップと、変換したデータ種データまたは暗号化データをＲＡＭに記憶するＲＡＭ記憶ステップとを有することとしたものである。
この構成により、患者の電子カルテが格納されている外部記憶装置とコンピュータ装置とが接続されている場合には、回線に接続されているウェブサーバはコンピュータ装置から切り離されており、回線から外部記憶装置のデータにアクセスすることができないので、患者の電子カルテに外部からアクセスすることはできず、患者の秘密を保持することにより患者のセキュリティを確保することができるという作用・効果を有する。また、患者の医療情報は変換したデータ種データまたは暗号化データの形でＲＡＭに格納されているので、いつでもウェブサーバ内のデータベースに格納することができ、患者等の特定利用者（秘密を保持する必要がないとして特定された人）の利用に供することができるという作用・効果を有する。また、変換したデータ種データが秘密を保持する必要がある（セキュリティの必要がある）ものである場合には暗号化データを送信することができるので、特定患者のセキュリティを秘密保持により十分に確実なものにすることができるという作用・効果を有する。
【００３１】
上記課題を解決するためになされた第９の発明は、第８の発明に記載の医療受診患者への医療情報通知方法であって、コンピュータ装置の中央処理装置は、サービスＩＤに対応する画像やグラフを変換したデータ種データの付随データとして画像・グラフ登録データベースから読み出すデータベース読出しステップと、変換したデータ種データおよび付随データをサービスＩＤおよびサーバＩＤに対応付けてウェブサーバ内データベースに格納するデータベース記憶ステップと、閲覧可能なことを特定通信装置に知らせることをウェブサーバに指示するウェブサーバ送信指示ステップとを有することとしたものである。
この構成により、コンピュータ装置において変換したデータ種データおよび付随データ（例えば画像やグラフのデータ）をウェブサーバ内データベースに格納することができると共に確実に特定利用者に閲覧できることを知らせることができるので、特定利用者による電子カルテの利用性を高めることができ、特定利用者に十分な医療情報を提供することができるという作用・効果を有する。
【００３２】
上記課題を解決するためになされた第１０の発明は、第８または第９の発明に記載の医療受診患者への医療情報通知方法であって、特定データはカルテＩＤとサービス種であることとしたものである。
この構成により、データ種データの取得の際に特定利用者を誤ることを防止することができるという作用・効果を有する。
【００３３】
上記課題を解決するためになされた第１１の発明は、第１０の発明に記載の医療受診患者への医療情報通知方法であって、特定通信装置は、カルテＩＤとサービス種あるいはパスワードにより決定されるメールアドレスに対応する携帯電話機やＰＨＳなどの携帯型端末装置であることとしたものである。
この構成により、特定通信装置がどこに存在していても、特定通信装置に対して医療情報を提供することができるという作用・効果を有する。
【００３４】
上記課題を解決するためになされた第１２の発明は、第９乃至第１１の発明の内いずれか１の発明に記載の医療受診患者への医療情報通知方法であって、ウェブサーバの中央処理装置は、特定通信装置からのアクセスの有無を判定するアクセス判定ステップと、アクセス判定ステップにおいてアクセスがあったと判定したときには特定通信装置からのパスワードに基いてサービスＩＤとサーバＩＤとを決定するサービスＩＤ等決定ステップと、決定したサービスＩＤおよびサーバＩＤとに対応するデータ種データや付随データをウェブサーバ内データベースから読み出す読出しステップと、読み出したデータ種データや付図データとサービスＩＤに対応するページ情報とに基いてウェブページ情報を作成するウェブページ情報作成ステップと、作成したウェブページ情報をウェブサーバのＲＡＭに格納するＲＡＭ記憶ステップと、作成したウェブページ情報を特定通信装置へ送信する送信ステップと、ウェブサーバのＲＡＭに格納したウェブページ情報を消去する消去ステップとを有することとしたものである。
この構成により、携帯電話機やＰＨＳ電話機などの特定通信装置からアクセスがあり、その特定通信装置が特定患者（特定利用者）の電話機であると判定された場合は、その特定患者の電話機に対して電子カルテを構成するデータ種データや付随データをウェブページ情報として送信することができるので、特定患者の電子カルテ利用の便利性を向上させることができるという作用・効果を有する。また、送信したウェブページ情報は消去するようにしたので、ウェブページ情報がウェブサーバから通信回線を介して外部に漏れることがなく、完全に秘密を保持することができるという作用・効果を有する。
【００３５】
上記課題を解決するためになされた第１３の発明は、第８乃至第１２の発明の内いずれか１の発明に記載の医療受診患者への医療情報通知方法であって、暗号化ステップは、電子カルテを参照してデータ種データの真データ表示位置を読み込むステップと、ダミーデータベースからデータ種に対応する１乃至複数の偽データを読み込むステップと、真データ表示位置にデータ種データを表示しその他の位置には偽データを順不同に並べて表示するための暗号化データを作成するステップと、を有することとしたものである。
この構成により、データ種データの暗号化を簡単に行うことができ、且つ暗号化の確実性も高く秘匿性に優れるという作用・効果を有する。
【００３６】
上記課題を解決するためになされた第１４の発明は、第１２または１３の発明に記載の医療受診患者への医療情報通知方法であって、前記ウェブページ情報作成ステップにおいてカルテ情報を疾患別や状態別等に分割した複数の前記ウェブページ情報を前記サービス種に対応付けて作成すると共に、前記送信ステップにおいて前記サービス種に対応する前記複数のウェブページ情報を送信することにより、携帯型端末装置等の前記特定通信装置で多種多量のカルテ情報の閲覧を可能とすることとしたものである。
この構成により、電子カルテの多種多量のカルテ情報を分割して個別にウェブページ情報を作成し送信することができるので、携帯電話機等の小さい画面であっても分割したカルテ情報を疾患別や状態別等の単位毎に表示させることにより多種多量のデータを閲覧すること可能となるという作用・効果を有する。
【００３７】
上記課題を解決するためになされた第１５の発明は、第８乃至第１４の発明のいずれかの発明に係る医療受診患者への医療情報通知方法の各ステップを実行するための医療受診患者への医療情報通知プログラムであることとしたものである。
この構成により、コンピュータを用いさえすれば、第８至第１４の発明のいずれかの発明を任意の場所で任意の時間に実行することができるという作用・効果を有する。
【００３８】
（実施の形態１）
図１は、本発明の実施の形態１による医療受診患者への医療情報通知システムを有する通信システムを示すブロック図である。
図１において、１は医療情報通知システム、２は医療情報通知システム１を構成すると共に電子カルテを格納する電子カルテ格納部２１を有する外部記憶装置、３は医療情報通知システム１全体を制御するコンピュータ装置、４は回線６に接続されたウェブサーバ、５はコンピュータ装置３により制御されることによりコンピュータ装置３とウェブサーバ４もしくは外部記憶装置２とを接続する切替えスイッチ部、７は回線を相互に接続するための基地局、８は基地局７と無線通信を行う無線通信装置である携帯電話機（特定通信装置）である。この切替えスイッチ部５の共通端子５ｃはコンピュータ装置３に接続され、第１の端子５ａは外部記憶装置２に接続され、第２の端子５ｂはウェブサーバ４に接続されている。
図２は図１のコンピュータ装置３を示すブロック図であり、図３は図１のウェブサーバ４を示すブロック図である。
図２において、３１はコンピュータ装置３全体を制御すると共に切替えスイッチ部５を介してウェブサーバ４を制御するＣＰＵ（中央処理装置）、３２はデータを入力するためのキーボード等の入力装置、３３は文字や図形を表示するＬＣＤ等の表示装置、３４は一時的にデータを保存するＲＡＭ、３５はプログラムやデータが記憶されているＲＯＭ、３６は切替えスイッチ部５の制御信号を出力する切替えスイッチ部インタフェース、３７はバスである。
また、図３において、４１はウェブサーバ４全体を制御するＣＰＵ（中央処理装置）、４２はデータを入力するためのキーボード等の入力装置、４３は文字や図形を表示するＬＣＤ等の表示装置、４４は一時的にデータを保存するＲＡＭ、４５はプログラムやデータが記憶されているＲＯＭ、４６は回線６に接続するための回線インタフェース部、４７はバスである。切替えスイッチ部５の共通端子５ｃと第２の端子５ｂを介してコンピュータ装置３とウェブサーバ４とを接続した場合は、コンピュータ装置３のバス３７とウェブサーバ４のバス４７とが接続されることになる。
図４は図２のコンピュータ装置３のＣＰＵ３１を示す機能ブロック図であり、図１２は図３のウェブサーバ４のＣＰＵ４１を示す機能ブロック図である。ＣＰＵ３１、４１の各ブロックの機能は、ＲＯＭ３５、４５に格納されたプログラムを実行することにより実現される。
【００３９】
図４において、３１１はカルテＩＤ等の特定データを入力装置３２を介して入力する入力手段、３１２は入力された特定データに基いてサービス種毎に付されたサービスＩＤ（例えばサービス種が癌検査開示情報サービスであれば「０２」）を決定すると共にカルテＩＤ（患者それぞれに対応する患者固有のカルテ番号）とサービスＩＤとによりサーバＩＤを決定するＩＤ決定手段である。サーバＩＤとは、カルテＩＤに対応した識別番号であり、図７の患者登録データベースには、例えばカルテＩＤ「５」に対してサーバＩＤ「１」が登録されている。３１３は切替えスイッチ部５のスイッチ状態を判定する切替えスイッチ判定手段、３１４はデータベースに或るデータ（例えば、入力された特定データと同じカルテＩＤとサービス種等のデータ）が有るか否かを判定するデータベース内容判定手段、３１５は入力した特定データに基いて電子カルテ格納部２１からデータ種データおよびデータ種に対応する変換方法を読み出すデータベース読出し手段である。変換方法とは、例えば或るデータ種のデータ種データに付された単位の変換（特殊単位から一般単位への変換）を行うための変換方法である。３１６は読み出したデータ種データを変換方法に基いて変換するデータ変換手段、３１６ａは変換したデータ種データがセキュリティの必要があるか否かをデータ種と偽データとを対応付けて格納したダミーデータベース（図１４）の内容に基いて判定するセキュリティ判定手段、３１６ｂはセキュリティ判定手段においてセキュリティが高いと判定したときには変換したデータ種データを暗号化して暗号化データを作成する暗号化手段、３１７は変換したデータ種データまたは暗号化データをＲＡＭ３４に記憶するＲＡＭ記憶手段、３１８はデータ変換手段３１６によるデータ変換が終了したか否かを判定するデータ変換終了判定手段、３１９はウェブサーバ４のデータベース（ウェブサーバ内データベース）からデータを読み出したり、読み出したデータに基いて判定を行ったりするウェブサーバ読出し手段、３２０はデータベースにデータを格納するデータベース記憶手段、３２１は電子カルテが閲覧可能なことを携帯電話機８に通知することをウェブサーバ４に指示するウェブサーバ送信指示手段、３２２は切替えスイッチ判定手段３１３における判定結果に基いて切替えスイッチ部５のスイッチを切り替える切替え手段、３２３は電子カルテ格納部２１に格納された患者登録データベースにデータを追加格納する患者登録データベース追加手段である。
また、図１２において、４１１は携帯電話機８などの携帯型端末装置からのアクセスの有無を判定するアクセス判定手段、４１２は携帯電話機８から通知されたＵＲＬ内のパスワードを抽出するパスワード抽出手段、４１３はアクセス判定手段４１１においてアクセスがあったと判定したときには携帯電話機８からのパスワードに基いてサービスＩＤとサーバＩＤとを決定するサービスＩＤ等決定手段、４１４は決定したサービスＩＤおよびサーバＩＤとに対応するデータ種データや付随データをウェブサーバ内データベースから読み出す読出し手段、４１５は読み出したデータ種データや付随データとサービスＩＤに対応するページ情報とに基いてウェブページ情報を作成するウェブページ情報作成手段、４１６は作成したウェブページ情報をウェブサーバのＲＡＭ４４に格納するＲＡＭ記憶手段、４１７はウェブページ情報の作成が終了したか否かを判定する作成終了判定手段、４１８は作成したウェブページ情報を携帯型端末装置へ送信する送信手段、４１９はＲＡＭ４４に格納したウェブページ情報を消去する消去手段である。
【００４０】
このように構成されたＣＰＵ３１、４１について、その動作を説明する。
まず、ＣＰＵ３１について、その動作を図５〜図１１、図１４、図１５を用いて説明する。図５、図６はＣＰＵ３１の動作を示すフローチャートであり、図７は電子カルテ格納部２１に格納されている患者登録データベースを示すデータ図であり、図８はデータ種データのデータ変換方法が格納されているデータ変換データベースを示すデータ図であり、図９はＩＤとパスワードを対応させたＩＤ・パスワード対応データベースを示すデータ図であり、図１０はサービスＩＤ等のＩＤとデータ種データが対応付けて格納されているサーバ内データベース（ウェブサーバ４内のデータベース）を示すデータ図であり、図１１はページ情報が格納されているページ情報データベースを示すデータ図であり、図１４は偽データが格納されているダミーデータベースを示すデータ図であり、図１５はサービスＩＤとサーバＩＤとの関係を示すデータ図である。
なお、図７に示すように、各カルテＩＤに対してサービス種、サービスＩＤ、サーバＩＤ、メールアドレス、及びパスワードが登録されている。サービスＩＤはサービス種と医療機関番号により、例えば所定の関数により算出されて決定されるが、本実施の形態１においては、一の医療機関におけるシステムについて説明しているので、サービスＩＤはサービス種毎に決定されている。また、サーバＩＤはカルテＩＤ毎に決定されている。すなわち、同一のカルテＩＤに対しては、同一のサーバＩＤが登録されている。また、サーバＩＤは同じサービスＩＤであれば必ず異なる番号となるように設定される。本実施の形態１においては、或るサービスについて（すなわちサービスＩＤ同一）の登録の順番に例えば連番にサーバＩＤを設定した。
図５において、まず、入力手段３１１は特定データとしてカルテＩＤとサービス種とを入力し（Ｓ１）、ＩＤ決定手段３１２は上記サービス種に基いてサービスＩＤを決定する（Ｓ２）。サービスＩＤは図７に示すようにサービス種に対応付けられた番号である。次に、切替えスイッチ判定手段３１３は切替えスイッチ部５のスイッチ状態（共通端子５ｃが第１の端子５ａに接続されているか第２の端子５ｂに接続されているか）を判定し（Ｓ３）、第２の端子５ｂに接続されていると判定した場合は切替え手段３２２により第１の端子５ａに切り替える（Ｓ３ａ）。ステップＳ３で第１の端子５ａに接続されていると判定したとき、データベース内容判定手段３１４は入力された特定データと同じカルテＩＤとサービス種が患者登録データベース（図７）に登録されているか否かを判定する（Ｓ４）。患者登録データベースに登録されていると判定したときはデータベース読出し手段３１５は患者登録データベースからメールアドレスとパスワードを読み出してステップＳ６へ移行する（Ｓ５）。ステップＳ４で患者登録データベースに登録されていないと判定したときは、ＩＤ決定手段３１２は、カルテＩＤとサービスＩＤとからサーバＩＤを決定し（Ｓ１６）、入力手段３１１は、メールアドレスとパスワードを入力して患者登録データベースに格納してステップＳ６へ移行する（Ｓ１７、Ｓ１８）。
図１５に示すように、一つのサービスＩＤには複数のサーバＩＤが対応付けられている。
【００４１】
次に、ステップＳ６では、データベース読出し手段３１５は、電子カルテ格納部２１に格納されているデータ変換データベース（図８）からデータ種データと変換方法を読み出し（Ｓ６）、読み出した変換方法に基いてデータ変換手段３１６はデータ種データを変換する（Ｓ７）。データ種データの変換とは例えば最高血圧値等の値に付けた単位の変換（特殊単位から一般単位への変換）である。次に、セキュリティ判定手段３１６ａは、ステップＳ７で変換したデータ種データがセキュリティの必要があるデータか否かをダミーデータベース（図１４）の内容に基いて判定する（Ｓ７ａ）。ダミーデータベースは、予め作成されたデータベースであり、セキュリティの必要がある（機密保持の必要がある）データ種と偽データが対応付けて格納されたものである。セキュリティ判定手段３１６ａはこのダミーデータベースを参照して、対象とするデータ種が格納されているか否かを判定し、格納されていればセキュリティの必要があるデータであると判定し、格納されていなければセキュリティの必要がないデータであると判定する。これにより、変換したデータ種データが秘密を保持する必要がある（セキュリティの必要がある）ものである場合には暗号化データを送信することができるので、特定患者のセキュリティを秘密保持により十分に確実なものにすることができる。
セキュリティの必要があるデータであると判定したときは、暗号化手段３１６ｂは、変換したデータ種データを暗号化して暗号化データを作成し（Ｓ７ｂ〜Ｓ７ｄ）、ステップＳ８に移行する。セキュリティ判定手段３１６ａにおいてセキュリティの必要があるデータでないと判定したときはそのままステップＳ８に移行する。ステップＳ８において、ＲＡＭ記憶手段３１７は、変換したデータ種データまたは暗号化データをＲＡＭ３４に記憶し、データ変換終了判定手段３１８は、全データ種データについてデータ変換手段３１６によるデータ変換が終了したか否かを判定する（Ｓ９）。ステップＳ９でデータ変換が終了していないと判定したときはステップＳ６に戻るが、ステップＳ９でデータ変換が終了したと判定したときは図６のステップＳ１０へ移行する。
【００４２】
次に、図５のステップＳ７ｂ〜Ｓ７ｄ（暗号化ステップ）における処理について図５及び図１４を用いて説明する。
まず、暗号化手段３１６ｂ（図４）は、電子カルテ格納部２１（図１）に格納された電子カルテを参照して暗号化の対象であるデータ種データの真データ表示位置を読み込む（Ｓ７ｂ）。真データ表示位置は、予め電子カルテ上にデータ種データに対応付けて保存されている。次に、暗号化手段３１６ｂは、図１４に示すダミーデータベースからデータ種に対応する偽データを読み込む（Ｓ７ｃ）。例えばデータ種がエイズの場合、３個の偽データ（−、±、＋）の内、真データ以外の偽データを読み込む。次に、暗号化手段３１６ｂは、データ種データと、読み込んだ真データ表示位置と、読み込んだ偽データと、をもとに真データを真データ表示位置に置き偽データを順不同に並べて暗号化データを作成する（Ｓ７ｄ）。この暗号化データは、ウェブサーバ４から携帯電話機８にウェブページ情報として送信されると、携帯電話機８の表示部に真データと偽データが並べられた状態で表示される。携帯電話機８には、真データ表示位置（３個のうちの何番目のデータを使用するか）を予め記憶させておく。真データ表示位置を記憶させるには、例えば病院内において専用の装置を使用して携帯電話機８の記憶部に直接或いは赤外線通信等を用いて書き込む。これにより、予め通知された真データ表示位置と送信されてきた暗号化データとに基づいて真データが携帯電話機８に表示されるので、ユーザは真値を知ることができると共に、不正にこのウェブページを閲覧した者があっても、この不正行為者の携帯電話機には真データ表示位置が書き込まれていないので、真データは表示されることはない。なお、ダミーデータベースからデータ種に対応する偽データを読み込む替わりに、例えばデータ種データ（真データ）が数値である場合は、１乃至複数の偽データを乱数発生により作成してもよい。
【００４３】
次に、図６のステップＳ１０において、データベース読出し手段３１５は、電子カルテ格納部２１に格納されている画像・グラフ登録データベース（図示せず）からサービスＩＤに一致する画像やグラフを読み出し、ＲＡＭ記憶手段３１７は、その読み出した画像やグラフをステップＳ７で変換したデータ種データの付随データとしてＲＡＭ３４に格納する。次に、切替えスイッチ判定手段３１３は切替えスイッチ部５のスイッチ状態を判定し（Ｓ１１）、第１の端子５ａに接続されていると判定した場合は切替え手段３２２により第２の端子５ｂに切り替える（Ｓ１１ａ）。これによりコンピュータ装置３とウェブサーバ４とがバス３７、４７を介して接続され、コンピュータ装置３と外部記憶装置２とが切り離される。ステップＳ１１で第２の端子５ｂに接続されていると判定したとき、ウェブサーバ読出し手段３１９は、ウェブサーバ４のデータベース（サーバ内データベース、例えば図１０）にステップＳ２で決定したサービスＩＤとサーバＩＤとパスワードとが対応付けて登録（図９参照）されているか否かを判定し（Ｓ１２）、登録されていると判定したときはステップＳ１３に移行する。対応付けて登録されていないと判定したときはウェブサーバ読出し手段３１９は、サービスＩＤとサーバＩＤとパスワードとを対応付けてＩＤ・パスワード対応データベース（図９）に登録する（Ｓ１９）。ＩＤ・パスワード対応データベースは予め外部記憶装置２の電子カルテ格納部２１からコンピュータ装置３のＲＡＭ３４に格納しておく。次に、データベース記憶手段３２０は、サービスＩＤに対応する画像・グラフがあれば、その画像・グラフのデータを画像・グラフデータベースに登録すると共に（Ｓ１３）、図１０に示すサーバ内データベースにデータ（サービスＩＤやサーバＩＤ、データ種データなどのデータ）を登録する（Ｓ１４）。次に、ウェブサーバ送信指示手段３２１は、電子カルテが閲覧可能なことを携帯電話機８に通知する（Ｓ１５）。
【００４４】
次に、ＣＰＵ４１について、その動作を図１３を用いて説明する。図１３はウェブサーバ４のＣＰＵ４１の動作を示すフローチャートである。
図１３において、まず、アクセス判定手段４１１は、携帯電話機８などの携帯型端末装置からのアクセスの有無を判定し（Ｓ３１）、アクセスがあったと判定したとき、パスワード抽出手段４１２は、携帯型端末装置から通知されたＵＲＬ内のパスワードを抽出する（Ｓ３２）。次に、サービスＩＤ等決定手段４１３は、携帯型端末装置からのパスワードに基いてサービスＩＤとサーバＩＤとを決定する（Ｓ３３）。これは、コンピュータ装置３のＲＡＭ３４に格納されたＩＤ・パスワード対応データベース（図９）を参照して行う。次に、読出し手段４１４は、ステップＳ３３で決定したサービスＩＤおよびサーバＩＤに対応するデータ種データや画像データ等の付随データをウェブサーバ内データベースやＲＡＭ４４から読み出す（Ｓ３４）。なお、読み出し手段４１４は、サーバ内データベースに記憶されたデータ種やデータ作成の日時を指定して、それに対応するデータ種データを読み出すこともできる。次に、ウェブページ情報作成手段４１５は、ステップＳ３４で読み出したデータ種データや付随データと、サービスＩＤに対応するページ情報とに基いてウェブページ情報を作成する（Ｓ３５）。ここで、ウェブページ情報作成手段４１５は、ページ情報に基づくデータ変換や関数演算結果変換、読み出されたデータ値に基づくウェブページ情報の書式変換、ウェブページ情報におけるリスト表示の書式変換等を行ってウェブページ情報を作成する。ＲＡＭ記憶手段４１６は、ステップＳ３５で作成したウェブページ情報をウェブサーバのＲＡＭ４４に格納する（Ｓ３６）。次に、作成終了判定手段４１７は、ウェブページ情報の作成が終了したか否かを判定する（Ｓ３７）。終了していないと判定したときはステップＳ３５に戻る。終了したと判定したときは次に送信手段４１８は、作成したウェブページ情報を携帯電話機８へ送信し（Ｓ３８）、消去手段４１９は、ＲＡＭ４４に格納したウェブページ情報を消去する（Ｓ３９）。このようにしてウェブページ情報作成手段は、ステップＳ３５（ウェブページ情報作成ステップ）においてカルテ情報を疾患別や状態別等に分割した複数のウェブページ情報をサービス種に対応付けて作成し、ステップＳ３８（送信ステップ）においていてサービス種に対応させて作成した複数のウェブページ情報を送信することにより、携帯電話機８で多種多量のカルテ情報の閲覧が可能になる。
【００４５】
次に、ステップＳ３８で携帯電話機８に送信されたウェブページ情報について説明する。図１６は携帯電話機に表示されるウェブページの基本ページを示す画面図であり、図１７は携帯電話機に表示されるウェブページの体重増減のページを示す画面図であり、図１８は体重増減グラフを示す画面図であり、図１９はクリニカルパスを示す画面図である。
図１３のステップＳ３８において、携帯電話機８にウェブページ情報が送信されると、携帯電話機８はそのウェブページ情報を受信し、図１６に示す基本ページを表示部に表示する。なお、本実施の形態１においては、サービス種として母子手帳電子版開示サービスの基本ページを例示している。図１６の「１４５さんへ」はこの携帯電話機８の所有者のサーバＩＤが「１４５」であることを示す。個人名を記載しないことで個人が特定されセキュリティが低くなることを防止している。「＜＜予  定  日＞＞  平成１５年１０月３１日＞＞は、出産予定日であり、電子カルテ格納部の電子カルテより抽出したものを表示している。また、「＜＜本日の週・月数＞＞  週数：（４０週１日）月数：１０ヵ月」や「予定日まで、あと…日です！」等の値はユーザがアクセスした日時と電子カルテ内の出産予定日のデータから関数等を用いて演算した結果を表示している。
「次回来院予定日  ２００３／１０／３１」などは、データベースの値を直接表示している。「＜＜体重増減＞＞」と「＜＜貧血チェック＞＞」の下方に表示された「貧血・体重（詳細）」は、ユーザが携帯電話機８の操作部を操作してこの項目を選択し、所定のボタン（例えば決定ボタン）等を押すと、携帯電話機８からパスワードを含むＵＲＬが送信されると、ウェブサーバ４は図１３に示す処理を行って「貧血・体重（詳細）」に関するウェブページ情報が携帯電話機８に送信される。図１７に「貧血・体重（詳細）」に関するウェブページを示す。さらに、ユーザが携帯電話機８の操作部を操作して図１７の「体重増減グラフ」を選択すると、携帯電話機８からパスワードを含むＵＲＬが送信されると、ウェブサーバ４は図１３に示す処理を行って図１８に示す体重増減グラフを携帯電話機８に送信し表示させる。その他胎児に関しては発育曲線、推定体重、超音波を表示することができる。
また、母子手帳電子版開示サービスではなく、産後クリニカルパス開示サービスの場合は、図１３のステップＳ３８において、携帯電話機８にクリニカルパスに関するウェブページ情報が送信され、図１９に示すクリニカルパスが表示される。クリニカルパスとは、一定の疾患を持つ患者に対して、入院指導や入院時オリエンテーション、検査、食事指導、安静度、退院指導などがスケジュールとしてまとめられているものであり、本実施の形態においては、「検温」、「回診」等の一日をスケジュールが表示される。
これにより、医療機関で行われる日程が携帯電話機に通知されれば、便利である。なお、携帯電話機など使えない医療機関であれば、医療機器への影響の少ないＰＨＳ電話機を筆頭としたより電力の弱いものや有線の端末装置を用いることもできる。例えば、一日のスケジュールの他にも手術後日数、産後の日数等を通知することができる。この場合、手術、出産後日数、生後日数等のあるイベントよりの日数は「（イベント発生日時より本日まで）＝（本日―イベント発生日時）」等の計算式を関数として用いれば良い。また、産後クリニカルパス開示サービスでは、イベント発生日時に、出産日を割り当てれば良い。クリニカルパスの情報に当日の新生児の写真を添付し、その日の朝に褥婦の携帯電話機に電子メールにて前記クリニカルパス及び、新生児写真の閲覧ページのＵＲＬを送信することができる。
【００４６】
なお、本実施の形態では、患者等の特定利用者の使用する特定通信装置として携帯電話機８を示したが、特定利用者の使用する電話機としては、ＰＨＳ電話機でもよい。また、特定通信装置としてインターネット等の回線網に接続されたパーソナルコンピュータであってもよい。
【００４７】
以上のように本実施の形態によれば、以下のような作用効果を有する。
（１）中央処理装置３１は、カルテＩＤ等の特定データを入力装置３２を介して入力する入力手段３１１と、切替えスイッチ部５のスイッチ状態を判定する切替えスイッチ判定手段３１３と、切替えスイッチ判定手段３１３における判定結果に基いて切替えスイッチ部５のスイッチを切り替える切替え手段３２２と、入力した特定データに基いて電子カルテ格納部２１からデータ種データおよびデータ種データに対応する変換方法を読み出すデータベース読出し手段３１５と、読み出したデータ種データを変換方法に基いて変換するデータ変換手段３１６と、変換したデータ種データがセキュリティの必要があるデータか否かをデータ種と偽データとを対応付けて格納したダミーデータベースの内容に基いて判定するセキュリティ判定手段３１６ａと、セキュリティ判定手段３１６ａにおいてセキュリティが高いと判定したときには変換したデータ種データを暗号化して暗号化データを作成する暗号化手段３１６ｂと、変換したデータ種データまたは暗号化データをＲＡＭ３４に記憶するＲＡＭ記憶手段３１７とを有することにより、患者の電子カルテが格納されている外部記憶装置とコンピュータ装置とが接続されている場合には、回線に接続されているウェブサーバはコンピュータ装置から切り離されており、回線から外部記憶装置のデータにアクセスすることができないので、患者の電子カルテに外部からアクセスすることはできず、患者の秘密を保持することにより患者のセキュリティを確保することができるという作用・効果を有する。
（２）患者の医療情報は変換したデータ種データまたは暗号化データの形でＲＡＭ３４に格納されているので、いつでもウェブサーバ内のデータベースに格納することができ、患者等の特定利用者（秘密を保持する必要がないとして特定された人）の利用に供することができる。
（３）変換したデータ種データが秘密を保持する必要がある（セキュリティの必要がある）ものである場合には暗号化データを送信することができるので、特定患者のセキュリティを秘密保持により十分に確実なものにすることができる。
（４）中央処理装置３１は、サービスＩＤに対応する画像やグラフを変換されたデータ種データの付随データとして画像・グラフ登録データベースから読み出すデータベース読出し手段３１５と、変換したデータ種データおよび付随データをサービスＩＤおよびサーバＩＤに対応付けてウェブサーバ内データベース（図１０）に格納するデータベース記憶手段３２０と、閲覧可能なことを特定通信装置に知らせることをウェブサーバに指示するウェブサーバ送信指示手段３２１とを有することにより、コンピュータ装置において変換したデータ種データおよび付随データ（例えば画像やグラフのデータ）をウェブサーバ内データベースに格納することができると共に確実に特定通信装置を使用する特定利用者に閲覧できることを知らせることができるので、特定利用者による電子カルテの利用性を高めることができ、特定利用者に十分な医療情報を提供することができる。
（５）特定データはカルテＩＤとサービス種であることにより、データ種データの取得の際に特定利用者（正確には特定通信装置）を誤ることを防止することができる。
（６）特定通信装置は、カルテＩＤとサービス種あるいはパスワードにより決定されるメールアドレスに対応する携帯電話機やＰＨＳなどの携帯型端末装置であることにより、特定通信装置がどこに存在していても、特定通信装置に対して医療情報を提供することができる。
（７）ウェブサーバ４は、全体を制御する中央処理装置４１と、ＲＡＭ４４とを有し、ウェブサーバ４の中央処理装置４１は、特定通信装置からのアクセスの有無を判定するアクセス判定手段４１１と、アクセス判定手段４１１においてアクセスがあったと判定したときには特定通信装置からのパスワードに基いてサービスＩＤとサーバＩＤとを決定するサービスＩＤ等決定手段４１３と、決定したサービスＩＤおよびサーバＩＤとに対応するデータ種データや付随データをウェブサーバ内データベースから読み出す読出し手段４１４と、読み出したデータ種データや付随データとサービスＩＤに対応するページ情報とに基いてウェブページ情報を作成するウェブページ情報作成手段４１５と、作成したウェブページ情報をウェブサーバのＲＡＭ４４に格納するＲＡＭ記憶手段４１６と、作成したウェブページ情報を特定通信装置へ送信する送信手段４１８と、ウェブサーバのＲＡＭ４４に格納したウェブページ情報を消去する消去手段４１９とを有することにより、携帯電話機やＰＨＳ電話機などの特定通信装置からアクセスがあり、その特定通信装置が特定患者（特定利用者）の電話機であると判定された場合は、その特定患者の電話機に対して電子カルテを構成するデータ種データや付随データをウェブページ情報として送信することができるので、特定患者（特定利用者）の電子カルテ利用の便利性を向上させることができる。
（８）送信したウェブページ情報は消去するようにしたので、ウェブページ情報がウェブサーバから通信回線を介して外部に漏れることがなく、完全に秘密を保持することができる。
（９）暗号化手段３１６ｂは、電子カルテを参照してデータ種データの真データ表示位置を読み込む手段と、ダミーデータベースからデータ種に対応する１乃至複数の偽データを読み込む手段と、真データ表示位置にデータ種データを表示しその他の位置には偽データを並べて表示するための暗号化データを作成する手段と、を有することにより、データ種データの暗号化を簡単に行うことができ、且つ暗号化の確実性も高く秘匿性に優れる。
（１０）図５、図６、図１３の医療情報通知方法の各ステップを実行するための医療情報通知プログラムを用いれば、コンピュータを用いて、図５、図６、図１３に示す医療情報通知方法を任意の場所で任意の時間に実行することができる。
【００４８】
（実施の形態２）
実施の形態１においては、一つのウェブサーバを一つの医療機関で使用する場合について説明しているが、これに限られるものではなく、一つのウェブサーバを複数の医療機関で共有することもできる。以下、一つのウェブサーバを複数の医療機関で共有する場合について説明する。
図２０は実施の形態２による医療情報通知システムの概略説明図であり、図２１は実施の形態２による医療情報通知システムを有する通信システムを示すブロック図であり、図２２は各医療機関とサービスＩＤの対応を説明するための説明図である。
図中、１′は実施の形態２による医療情報通知システム、２は外部記憶装置、３はコンピュータ装置、４はウェブサーバ、５は切替えスイッチ部、６は回線、７は基地局、８は携帯電話機であり、これらは実施の形態１において説明したものと同様のものであるので同一の符号を付けて説明を省略する。
図２０及び図２１に示すように、各医療機関であるＡ病院、Ｂ医院、Ｃ医院、Ｄ病院には、コンピュータ装置３と外部記憶装置２が各々設置され、ウェブサーバ４に切替えスイッチ部５を介して接続されている。ウェブサーバ４は、各医療機関毎のウェブページ情報を有し、携帯電話機８にそのウェブページのＵＲＬをメール通知することにより、各医療機関の患者は携帯電話機８により所望するウェブページを閲覧して、その患者が受診している医療機関での医療情報等を得ることができる。
また、一つのウェブサーバ４を複数の医療機関で共有する場合、図２２に示すように、サービスＩＤは同一のサービス種であっても医療機関が異なれば異なるサービスＩＤが付けられているので、一つのウェブサーバ４で複数の医療機関の医療情報を集約して管理することができる。
【００４９】
以上のように、本実施の形態２の医療情報通知システム１′によれば、ウェブサーバ４と、複数のコンピュータ装置３，３，…と、複数の外部記憶装置２，２，…と、複数の切替えスイッチ部５，５，…と、を有し、各々のコンピュータ装置３，３，…は切替えスイッチ部５，５，…を介してウェブサーバ４と外部記憶装置２，２，…とに接続されていることにより、複数の医療機関（Ａ病院，Ｂ病院，…）の各々に設置されたコンピュータ装置３，３，…からその医療機関にかかる患者の医療情報をウェブサーバ４に送信することにより一つのウェブサーバ４で複数の医療機関の医療情報を管理でき、システムが簡略化できシステムの構築及び増設等が容易であるという作用を得ることができる。
【産業上の利用可能性】
【００５０】
本発明は、ウェブページ情報を回線へ送信するウェブサーバと、ウェブページ情報を作成するためのページ情報を作成するコンピュータ装置と、電子カルテを格納する電子カルテ格納を有する外部記憶装置と、コンピュータ装置により制御されることによりコンピュータ装置とウェブサーバもしくは外部記憶装置とを接続する切替えスイッチ部とを有し、医療受診患者へ診断や検査の結果等の医療情報を通知することができる医療受診患者への医療情報通知システム、および、その医療情報通知システムにおける医療受診患者への医療情報通知方法、ならびに、その方法を実行するための医療受診患者への医療情報通知プログラムに関し、特に、本発明によれば、携帯電話機等の特定通信装置へ診断や検査の結果を迅速に通知することができ、且つ、多量の情報を確実に通知することができると共に、個人情報が第三者に漏洩することがなくセキュリティを十分に確保することができる医療受診患者への医療情報通知システム、および、その医療情報通知システムにおける医療受診患者への医療情報通知方法、ならびに、その方法を実行するための医療受診患者への医療情報通知プログラムを提供することができる。
【図面の簡単な説明】
【００５１】
【図１】本発明の実施の形態１による医療受診患者への医療情報通知システムを有する通信システムを示すブロック図
【図２】図１のコンピュータ装置を示すブロック図
【図３】図１のウェブサーバを示すブロック図
【図４】図２のＣＰＵを示す機能ブロック図
【図５】コンピュータ装置のＣＰＵの動作を示すフローチャート
【図６】コンピュータ装置のＣＰＵの動作を示すフローチャート
【図７】電子カルテ格納部に格納されている患者登録データベースを示すデータ図
【図８】データ種データのデータ変換方法が格納されているデータ変換データベースを示すデータ図
【図９】ＩＤとパスワードを対応させたＩＤ・パスワード対応データベースを示すデータ図
【図１０】サービスＩＤ等のＩＤとデータ種データが対応付けて格納されているサーバ内データベースを示すデータ図
【図１１】ページ情報が格納されているページ情報データベースを示すデータ図
【図１２】図３のＣＰＵを示す機能ブロック図
【図１３】ウェブサーバのＣＰＵの動作を示すフローチャート
【図１４】偽データが格納されているダミーデータベースを示すデータ図
【図１５】サービスＩＤとサーバＩＤとの関係を示すデータ図
【図１６】携帯電話機に表示されるウェブページの基本ページを示す画面図
【図１７】携帯電話機に表示されるウェブページの体重増減のページを示す画面図
【図１８】体重増減グラフを示す画面図
【図１９】クリニカルパスを示す画面図
【図２０】本発明の実施の形態２による医療受診患者への医療情報通知システムの概略説明図
【図２１】本発明の実施の形態２による医療受診患者への医療情報通知システムを有する通信システムを示すブロック図
【図２２】各医療機関とサービスＩＤの対応を説明するための説明図
【符号の説明】
【００５２】
１  医療情報通知システム
２  外部記憶装置
３  コンピュータ装置
４  ウェブサーバ
５  切替えスイッチ部
５ａ  第１の端子
５ｂ  第２の端子
５ｃ  共通端子
６  回線
７  基地局
８  携帯電話機
３１、４１  ＣＰＵ
３２、４２  入力装置
３３、４３  表示装置
３４、４４  ＲＡＭ
３５、４５  ＲＯＭ
３６  切替えスイッチ部インタフェース部
３７、４７  バス
４６  回線インタフェース部
３１１  入力手段
３１２  サービスＩＤ算出手段
３１３  切替えスイッチ判定手段
３１４  データベース内容判定手段
３１５  データベース読出し手段
３１６  データ変換手段
３１６ａ  セキュリティ判定手段
３１６ｂ  暗号化手段
３１７  ＲＡＭ記憶手段
３１８  データ変換終了判定手段
３１９  ウェブサーバ読出し手段
３２０  データベース記憶手段
３２１  ウェブサーバ送信指示手段
３２２  切替え手段
３２３  患者登録データベース追加手段
４１１  アクセス判定手段
４１２  パスワード抽出手段
４１３  サービスＩＤ等決定手段
４１４  読出し手段
４１５  ウェブページ情報作成手段
４１６  ＲＡＭ記憶手段
４１７  作成終了判定手段
４１８  送信手段
４１９  消去手段
【図１】
2004288176.tif 000003
【図２】
2004288176.tif 000004
【図３】
2004288176.tif 000005
【図４】
2004288176.tif 000006
【図５】
2004288176.tif 000007
【図６】
2004288176.tif 000008
【図７】
2004288176.tif 000009
【図８】
2004288176.tif 000010
【図９】
2004288176.tif 000011
【図１０】
2004288176.tif 000012
【図１１】
2004288176.tif 000013
【図１２】
2004288176.tif 000014
【図１３】
2004288176.tif 000015
【図１４】
2004288176.tif 000016
【図１５】
2004288176.tif 000017
【図２０】
2004288176.tif 000018
【図２１】
2004288176.tif 000019
【図２２】
2004288176.tif 000020
【図１６】
2004288176.tif 000021
【図１７】
2004288176.tif 000022
【図１８】
2004288176.tif 000023
【図１９】
2004288176.tif 000024